(57)【要約】【課題】通常と異なるやり方で障子を戸袋等の障子収納部に収納する際などに、手の指が部材同士の間に巻き込まれるような事態を防止できる開口部装置を提供する。【解決手段】開口部装置は、枠体Ａと、この枠体Ａ内に左右方向に移動可能に設けられた障子Ｃと、この障子Ｃを収納する障子収納部Ｄとを備える。枠体Ａの開口部Ｆと障子収納部Ｄとの間の室内側には方立Ｅが設けられる。方立Ｅは、障子Ｃを障子収納部Ｄに収納する際に障子Ｃの障子収納部Ｄの反対側となる縦框２３と前後に重なる。方立Ｅの開口部Ｆ側の端面には、合成樹脂製のアングル３３ａが取り付けられる。アングル３３ａは、方立Ｅの前記端面から所定距離はなれた位置で前記端面を覆う樹脂板３４ａを備える。樹脂板３４aの室内側は、軟質樹脂からなる軟質板部３７とされるとともに、軟質板部３７の方立Ｅ側に軟質板部３７を弾性変形可能とする空間が配置される。【選択図】図１
2007120251.tif 000002
【特許請求の範囲】
【請求項１】
枠体と、この枠体内に左右方向に移動可能に設けられた障子とを備え、かつ、室内側に合成樹脂製の樹脂形材が設けられた複合構造を有し、
障子の開閉動作時に、一つの障子より室内側で、当該障子の一方の縦框の室内側面と重ならない位置から重なる位置に前記障子の縦框に対して相対的に移動する縦部材を備えた開口部装置であって、
前記縦部材が前記障子の縦框と重ならない位置となった際に、前記障子の縦框側を向く前記縦部材の左もしくは右の端面に設けられた前記縦部材用樹脂形材に、前記縦部材の端面から所定距離だけ離れた位置で前記端面を覆う樹脂板が設けられ、
前記樹脂板は、室内側の硬質樹脂からなる硬質板部と当該硬質板部の室外側に設けられた軟質樹脂からなる軟質板部とから形成され、
前記軟質板部を有する前記縦部材用樹脂形材が一体に硬質樹脂と軟質樹脂との共押し出し成型により形成され、
前記軟質板部の室内側の基端部が前記硬質板部と一体とされて固定され、前記軟質板部の室外側の先端部が開放端とされ、
前記軟質板部と前記縦部材との間には、前記軟質板部の先端部を前記縦部材側に近づけるように弾性変形可能な空間が形成されていることを特徴とする開口部装置。
【発明の詳細な説明】
【技術分野】
【０００１】
本発明は、引き込み障子、引き分け障子、引き違い障子または片引き障子等のように左右方向に移動可能な障子が枠体内に設けられた開口部装置に関する。
【背景技術】
【０００２】
この種の開口部装置の一つとして、建物の開口部の周りに設けられる上枠、下枠および左右の縦枠からなる枠体と、この枠体内に左右方向に移動可能に設けられた障子と、この障子を引き込み形式で収納する戸袋とを備え、開口部を全開にすることができる全開口型サッシ（全開サッシ）が知られている（例えば、特許文献１参照）。
【０００３】
このような全開口型サッシにあっては、障子を開けて戸袋に収容するときに、例えば、取っ手等を持たずに障子の縦框を手の指で左右に挟んだ状態に掴んで障子を動かすと、戸袋の開口部側を形成する方立や間柱等の縦部材に手の指が激しく当たったり、これら縦部材と障子との間に縦框を掴んだ手の指が挟まれたりする虞がある。
【０００４】
そこで、例えば、図３および図４に示すように、建物の開口部の周りに設けられる上枠、下枠および左右の縦枠からなる枠体Ａと、この枠体Ａ内に左右方向に移動可能に設けられた障子Ｂと、この障子Ｂを引き込み形式で収納する戸袋（障子収納部Ｄ）とを備える開口部装置において、障子Ｂの戸先側の縦框より障子収納部Ｄ側の位置にストッパＨを室内側に突出させ形成したものが知られている。これにより、縦框を持った手の指が戸袋の開口部Ｆ側を形成する方立Ｅや間柱等に当たる前にストッパＨが前記方立Ｅ等に当たって障子Ｂの移動を止め、手の指が挟まれるのを防止することができる。
【０００５】
また、図３および図４に示される開口部装置は、いわゆる断熱サッシであり、障子Ｂに嵌め込まれるパネルとして複層ガラスＪが用いられて断熱性が高められるとともに、アルミ（合金）製のサッシの障子Ｂの框や枠体Ａ等の室内側に露出する部分に合成樹脂性の部材（樹脂形材）が取り付けられ、室内側を合成樹脂製とした複合構造とすることにより断熱性をさらに高めている。また、このような断熱サッシでは、室内側に樹脂形材を用いることで、アルミやその合金では困難な色や質感を出すことができ、室内側の装飾性（意匠性）を高めている。
また、開口部Ｆの内周面の室内側には枠状（額縁状）に室内側に突出するアングルＫが取り付けられるが、複合構造を有する断熱サッシでは、このアングルＫが樹脂形材として合成樹脂製となる。この場合に、方立Ｅの内周面には、上述の合成樹脂製のアングルＫが樹脂形材として設けられていることになる。したがって、ストッパＨを設けない構造として上述のように方立Ｅ等に手（指）をぶつけたり、挟んだりした場合に、指が金属のアルミではなく、樹脂形材（アングルＫ）に当たることになり、手が直接アルミに当たった場合よりは衝撃が緩和される。
【０００６】
【特許文献１】特開平６−２６２８６号公報
【発明の開示】
【発明が解決しようとする課題】
【０００７】
ところで、前記ストッパＨを用いた場合は、障子Ｂの把手の部分が開口部Ｆの内側に残った状態となり、開口部Ｆを完全に開放することができない。
また、上述のような断熱サッシによれば、障子Ｂを開放した場合に手が当たる可能性がある部分（指を挟む可能性がある部分）が樹脂形材であるアングルＫとなることで、アルミの場合より衝撃が緩和されるが、アングルＫは、取り付けのためや所定形状を維持するためや上述のようなストッパＨを受けるためなどにより強度を必要とし、軟質樹脂やゴム等ではなく、一般的な硬質樹脂からなり、衝撃が大きく緩和されることはない。
【０００８】
なお、方立Ｅの内周側の側面に設けられた上述のアングルＫには、その内周側でかつ室外側に向かう角部に障子Ｂに向かって突出するリブＩが上下に延在するように一体成型されており、障子Ｂを閉めた際に障子Ｂの縦框等に前記リブＩが接触して気密性を高めるようになっている。また、前記リブＩは、障子Ｂに接触しても障子Ｂを傷つけることがないように軟質樹脂製となっており、硬質樹脂より衝撃の緩和能力が高いが、方立と障子Ｂとの間となる極めて狭い間隔に設けられるため、手が当たる可能性が低く、また、手が当たっても変位量が小さいので実質的に衝撃を緩和するような機能はない。
【０００９】
本発明はこのような事情に鑑みてなされたもので、障子を戸袋等の障子収納部に収納する際などに、例えば、障子の縦框と方立等との間に手の指が挟まれるそうになっても、手が接触する部分が大きく変位して衝撃を吸収することができるとともに、これにより障子の縦框と方立との間などに指が巻き込まれるのを防止することができる開口部装置を提供することを目的とする。
【課題を解決するための手段】
【００１０】
前記目的を達成するために、請求項１に記載の開口部装置は、枠体と、この枠体内に左右方向に移動可能に設けられた障子とを備え、かつ、室内側に合成樹脂製の樹脂形材が設けられた複合構造を有し、
障子の開閉動作時に、一つの障子より室内側で、当該障子の一方の縦框の室内側面と重ならない位置から重なる位置に前記障子の縦框に対して相対的に移動する縦部材を備えた開口部装置であって、
前記縦部材が前記障子の縦框と重ならない位置となった際に、前記障子の縦框側を向く前記縦部材の左もしくは右の端面に設けられた前記縦部材用樹脂形材に、前記縦部材の端面から所定距離だけ離れた位置で前記端面を覆う樹脂板が設けられ、
前記樹脂板は、室内側の硬質樹脂からなる硬質板部と当該硬質板部の室外側に設けられた軟質樹脂からなる軟質板部とから形成され、
前記軟質板部を有する前記縦部材用樹脂形材が一体に硬質樹脂と軟質樹脂との共押し出し成型により形成され、
前記軟質板部の室内側の基端部が前記硬質板部と一体とされて固定され、前記軟質板部の室外側の先端部が開放端とされ、
前記軟質板部と前記縦部材との間には、前記軟質板部の先端部を前記縦部材側に近づけるように弾性変形可能な空間が形成されていることを特徴とする。
【００１１】
前記縦部材は、枠体の縦枠等のような枠体の一部や枠体に取り付けられた方立や間柱等の固定部材であってもよいし、前記障子の室内側に配置される他の障子の縦框等のように移動する部材であってもよい。軟質樹脂および硬質樹脂は、周知の軟質樹脂および硬質樹脂を用いることができるが、軟質樹脂と硬質樹脂の組み合わせにおいて、軟質樹脂と硬質樹脂とが強固に接合されることが知られている組み合わせとすることが好ましい。
【発明の効果】
【００１２】
請求項１に記載の開口部装置によれば、例えば、障子の縦框を手の指で掴んで障子を開閉動作した場合に、当該障子の縦框に、他の障子の縦框や、枠体や方立や間柱等の開口部内周側に形成されてアングル等の樹脂形材が取り付けられる縦部材が重なる状態となるとこれらの縦部材に手の指が当たる可能性があるが、これら縦部材の手の当たる部分に複合構造となった開口部装置の樹脂形材が設けられているとともに、樹脂形材に設けられた樹脂板の軟質板部に手が当たることで、軟質板部が大きく弾性変形して、衝撃を緩和する。さらに、指が当たった際に障子の縦框と縦部材との隙間に指を巻き込むのを防止することができる。
また、上述のような軟質板部を設ける際に、硬質樹脂からなる部分と軟質樹脂からなる軟質板部とを共押し出し成型で一体に形成することで、硬質樹脂と軟質樹脂との境界部分を判り辛い構造とすることができるとともに、硬質樹脂と軟質樹脂とを顔料の調整等により同系色とすれば、硬質樹脂部分と軟質樹脂部分とで外観上の差をほとんどなくすことも可能となり、複合構造を有する開口部装置における樹脂形材による意匠性の向上を妨げることがない。すなわち、本発明の軟質板部に代えてゴム等の硬質樹脂部分とは異質の軟質な弾性部材を用いた場合のように、軟質板部の部分で他の樹脂形材の部分とは明らかに異なる質感、異なる色の部分ができてしまうのに比較して意匠性を向上することができる。
【発明を実施するための最良の形態】
【００１３】
以下、添付した図面を参照しながら、本発明の実施の形態を説明する。
図１および図２は、本発明の実施の形態に係る２枚建て片引き全開口タイプのサッシを示す図であって、図１は、全開口状態の横断面図であり、図２は、閉じた状態の横断面図である。
【００１４】
このサッシ（開口部装置）は、２枚の障子を内外に引き違いに配置した片引き全開口タイプ（片引き込みタイプ）のサッシである。このサッシは、建物の開口部に取り付けられる枠体Ａと、この枠体Ａ内に左右方向（水平方向）に移動可能に設けられた外障子（障子）Ｂおよび内障子（障子）Ｃとを備えている。
【００１５】
枠体Ａの内側の一方（この例では右側）の側部には、障子Ｂ，Ｃを収納可能な障子収納部（戸袋部ともいう。）Ｄが設けられており、障子収納部Ｄは、方立Ｅによりサッシの開口部Ｆと仕切られている。このサッシでは、外障子Ｂおよび内障子Ｃを右側の障子収納部Ｄに収納することによって、開口部Ｆを全開状態にすることができるようになっている（図１参照）。なお、開口部Ｆは、建物の開口部と略重なるように配置されており、建物に形成された開口部をほぼ全開状態とすることができるようになっている。なお、枠体Ａの障子Ｂ，Ｃより外側には、網戸Ｍ，Ｎが二枚引き違いに配置されており、網戸Ｍ，Ｎも障子収納部Ｄ側に引き込むことで、開口部Ｆを全開状態とすることが可能となっている。
【００１６】
また、前記方立Ｅは、本発明の一つの障子となる内障子Ｃより室内側で、内障子Ｃの後述の一方の縦框２４の室内側面と重ならない位置から重なる位置に内障子Ｃの縦框２４に対して相対的に移動する縦部材となる。なお、実際に移動するのは内障子Ｃの縦框２４である。
また、前記方立Ｅの内周側面となる右側の端面が、縦部材が内障子Ｃの縦框２４と重ならない位置となった際に、内障子Ｃの縦框２４側を向く前記縦部材の端面となる。
【００１７】
枠体Ａは、上枠（図示略）、下枠２および左右の縦枠３、４により方形枠状に組み立てられて構成されている。
外障子Ｂは、上框（図示略）、下框１２および左右の縦框１３、１４により方形枠状の框組体が組み立てられ、この框組体にパネルである複層ガラス１６が組み込まれて構成されている。また、内障子Ｃは、上框（図示略）、下框２２および左右の縦框２３、２４により方形の框組体が組み立てられ、この框組体にパネルである複層ガラス２６が組み込まれて構成されている。
外障子Ｂ及び内障子Ｃの上框、下框１２，２２および左右の縦框１３，２３、１４，２４は、例えば、アルミ合金等の金属からなり、複層ガラス２６の室内側の側面よりさらに室内側に突出して設けられるとともに、その室内側に露出する面は、複合構造を有する断熱サッシの樹脂形材としての樹脂カバーにより覆われた状態となっており、上述の金属部分が室内側に露出しない状態となっている。すなわち、外障子Ｂ及び内障子Ｃは、室外側がアルミ合金等の金属もしくはその塗装面が露出し、室内側が合成樹脂製の樹脂カバーで覆われた複合構造を有する断熱サッシの障子Ｂ，Ｃとなっている。
【００１８】
また、２枚建て片引きサッシとして、外障子Ｂは、開口部Ｆを閉じる際に、枠体Ａの障子収納部Ｄの反対側すなわち左側の縦枠３に当接して、開口部Ｆの左側に配置され、内障子Ｃは、開口部Ｆの障子収納部Ｄ側である右側に配置される。
外障子Ｂの戸先側の縦框１３の室内側面（見付け面）には、引き手１７が設けられている。なお、この例においては、後述のように外障子Ｂの戸先側の縦框１３の室内側面に近接して、方立Ｅや内障子Ｃの召合せ側縦框２３が重なって配置されるようなことがなく、引き手１７は、凹部ではなく室内側に突出する構造となっている。
【００１９】
また、外障子Ｂの召合い側となる縦框１４には、図１に示すように、室内側面に所謂煙返し１８が形成されおり、後述する内障子Ｃの召合い側となる縦框２３の室外側面に形成された煙返し２８と係合するようになっている。そして、図２に示すように、外障子Ｂを開口部Ｆを閉塞する側に移動した場合に、途中で、外障子Ｂの煙返し１８が内障子Ｃの煙返し２８に係合し、外障子Ｂに連動して内障子Ｃが閉塞側に移動するようになっている。また、外障子Ｂを開口部Ｆを開放する側に移動した場合には、外障子Ｂの煙返し１８と内障子Ｃの煙返し２８との係合が解除されるようになっている。
【００２０】
内障子Ｃの召合い側の縦框２３の室外側面には、上述の煙り返し２８が形成されている。また、内障子Ｃの戸先側（障子収納部Ｄ側）の縦框２４の室内側面には、後述する方立Ｅの煙返し３１と係合する煙返し２９が形成されている。これにより、内障子Ｃは、障子収納部Ｄから引き出して内障子Ｃの障子収納部Ｄ側の縦框２４と、方立Ｅが室内−室外方向で重なって煙返し２９と煙返し３１が係合した状態となるとそれ以上障子収納部Ｄから離れる方向に移動できなくなる。よって、開口部Ｆを外障子Ｂと内障子Ｃとで閉塞した状態で、内障子Ｃが外障子Ｂ側に移動することで、開口部Ｆの内障子側（右側）が開放するようなことがない。
【００２１】
また、内障子Ｃの戸先側（障子収納部Ｄ側）の縦框１４の室外側面には、外障子Ｂの移動を規制するストッパ突起２７が形成され、外障子Ｂを開口部Ｆを開放する方向に移動した場合に、外障子Ｂの召合い側となる縦框１４の右側の端面が内障子Ｃのストッパ突起２７に当接するようになっている。そして、外障子Ｂを開放側に移動中に、外障子Ｂが内障子Ｃのストッパ突起２７に当接した際に、内障子Ｃの召合い側端面が外障子Ｂの引き手１７が形成された縦框１３より障子収納部Ｄ側（右側、外障子Ｂの召合い側）となるようになっており、引き手１７が形成された縦框１３が室内側から見て内障子Ｃに隠されずに必ず露出するようになっている。言い換えれば、外障子Ｂの戸先側の縦框１３が室内−室外方向に内障子Ｂと重なることがないようになっている。これにより、縦框１３や引き手１７に手をかけて外障子Ｂを開放側に移動した場合に、縦框１３や引き手１７にかけた手が内障子Ｃに当たったり、外障子Ｂと内障子Ｃとの間に挟まれたりすることがないようになっている。なお、外障子Ｂが内障子Ｃのストッパ突起２７に当接した状態で、外障子Ｂの戸先側端面と、内障子Ｃの召合い側端面の間の左右の距離は、例えば、外障子Ｂ（内障子Ｃ）の縦框１３，１４（２３，２４）の左右幅より僅かに長いものとなっている。
【００２２】
また、外障子Ｂを開放側に移動する際に、内障子Ｃのストッパ突起２７に外障子Ｂが当接すると、外障子Ｂの開放側への移動に対応して内障子Ｃも開放側に移動することになる。すなわち、外障子Ｂが内障子Ｃのストッパ突起２７を押して内障子Ｃを開放側に連動して移動可能となっている。
ここで、枠体Ａの障子収納部Ｄ側の縦枠４の内側には、内障子Ｃが配置される前後位置に内障子Ｃの枠体Ａの縦枠４への接触を規制するようにストッパ部材３２が配置されている。
そして、外障子Ｂの戸先側の端面が略完全に開口部Ｆから出て障子収納部Ｄに入った状態（外障子Ｂの戸先側の端面と、方立Ｅの開口部Ｆの内周側となる端面とが略同一平面内に配置された状態）となった際に、ちょうど内障子Ｃがストッパ部材３２に当接し、内障子Ｃのそれ以上の開放側への移動が規制され、内障子Ｃの移動が規制されることで、内障子Ｃのストッパ突起２７に当接する外障子Ｂの開放側への移動が規制される。
【００２３】
従って、外障子Ｂは、開放側へ移動した際に、上述のように外障子Ｂの戸先側の端面と、方立Ｅの開口部Ｆ側の端面とが略同一平面内に配置された状態となり開口部Ｆを略完全に開口した状態で外障子Ｂの開放側への移動が停止するようになっており、これにより、外障子Ｂが障子収納部Ｄの奥側に入ってしまい障子収納部Ｄから取り出しずらい状態となるのを防止することができる。
また、この際には、内障子Ｃは、上述のように外障子Ｂが内障子Ｃのストッパ突起２７に当接した状態であり、上述のように外障子Ｂの戸先側端面と内障子Ｃの召合い側端面との間に縦框１３，１４（２３，２４）の左右幅より僅かに長い間隔があいていることになる。
【００２４】
以上のことから、外障子Ｂを完全に開放した状態とすることにより、方立Ｅと引き手１７を有する外障子Ｂの戸先側の縦框１３が室内−室外方向に重なった状態、すなわち外障子Ｂの引き手１７が室内側からみて方立Ｅの裏側に隠れて配置された状態となっても、外障子Ｂを上述のように完全に開口した状態では、外障子Ｂの戸先側の縦框１３と方立Ｅとの間に内障子Ｃの前後幅（縦框２３，２４の前後幅）分の間隔があいた状態となっており、外障子Ｂの引き手１７や縦框１３に手をかけた状態で外障子Ｂを開放側に移動した際に、上述のように手が内障子Ｃにぶつかったり、外障子Ｂと内障子Ｃとの間に挟まれたりすることがないとともに、手が方立Ｅとの間に挟まれるようなこともない。また、外障子Ｂを完全に開放する際に方立Ｅが邪魔となることもない。
【００２５】
さらに、完全に開放された状態の外障子Ｂを閉鎖側に移動する際に、外障子Ｂの引き手１７と方立Ｅが上述のように重なった状態となっても、外障子Ｂの引き手１７を有する縦框１３と方立Ｅとの間に手を入れて容易に引き手１７に手をかけることができる。従って、外障子Ｂが開口部Ｆの外側に出て開口部Ｆ内に露出していない状態となっていても、問題なく閉鎖方向に移動することができる。
【００２６】
前記枠体Ａの上記開口部Ｆと障子収納部Ｄとの間に上下に延在する前記方立Ｅが設けられている。方立Ｅは、その上端部が上枠に接合され、下端部が下枠２に接合されている。また、枠体Ａの方立Ｅより障子収納部Ｄ側は建物の開口部の外側となり室内側からは壁によって見えない状態となっている。
一方、開口部Ｆは建物の開口部により室内側からその内周部分が露出した状態となっている。そして、矩形状の開口部Ｆの周囲は、上側が枠体Ａの上枠、下側が枠体Ａの下枠２、左側が枠体Ａの縦枠３、右側が方立Ｅにより構成されている。
そして、これら上枠、下枠２、縦枠３及び方立Ｅから構成される開口部Ｆの内周面側には、アングル３３が取り付けられるとともに、アングル３３は、断熱サッシの上述の複合構造の樹脂形材であり、合成樹脂から形成される。
【００２７】
このアングル３３は、所謂サッシのアングルとして機能するとともに、アングル３３を合成樹脂製とすることで断熱性を向上し、かつ、上述の開口部Ｆの内周面を覆ってアルミ合金からなる部材を隠すことにより内装材（化粧部材、装飾部材）として機能するものであり、基本的に、開口部Ｆの内周面から間隔をあけて内周面Ｆと略平行に配置される樹脂板３４と、樹脂板３４を開口部Ｆの内周面を構成する上述の上枠、下枠２、縦枠３及び方立Ｅに取り付けるための取付部材３５とからなっている。
なお、樹脂板３４は、意匠性を高めるために、単なる平板ではなく、段差や凹部や凸部や突条や溝等が形成されていても良い。また、樹脂板３４は、室内側の窓等の開口部用の内装材の上側（表側）に重なるように、枠体Ａ及び方立Ｅより開口部Ｆ内周面に沿って室内側に向かって延出した状態となっている。
【００２８】
そして、アングル３３のうちの方立Ｅに取り付けられるアングル３３ａ（縦部材用樹脂形材）は、枠体Ａの上枠、下枠２、縦枠３に取り付けられるアングル３３が一種類の硬質樹脂から押し出し成型されているのに対して、硬質樹脂と軟質樹脂との少なくとも二種類（複数種類）の合成樹脂からなっている。なお、硬質樹脂および軟質樹脂は周知の合成樹脂が用いられている。
そして、方立Ｅに用いられるアングル３３ａは、例えば、図１および図２に示すように、上述の樹脂板３４ａと、取付部材３５ａとが一体成型されたものであり、方立Ｅの上下の長さ方向に沿って、開口部Ｆの上下に対応する長さだけ延在した状態に配置される。
取付部材３５ａは、方立Ｅの端面（内周側面）の室外側縁よりも室内側にあり、例えば、取付部材３５ａの室外側の側面と方立Ｅの室外側側面との間の室内−室外方向に沿った距離は、例えば、方立Ｅの室内−室外方向に沿った幅の１／３〜１／５程度となっている。また、前記距離は、例えば、指の先端から最初の関節程度までの距離とほぼ同じ程度の長さとなっており、指の先端部分の太さよりも長いものとなっている。
【００２９】
また、取付部材３５ａの左右方向の長さ、すなわち、樹脂板３４と方立Ｅの端面との間の距離は、上述の取付部材３５ａの室外側の側面と方立Ｅの室外側側面との間の室内−室外方向に沿った距離とほぼ等しい距離となっている。
前記樹脂板３４ａは、上述の軟質樹脂と硬質樹脂とから一体に形成されているとともに、樹脂板３４ａは、その室外側が方立Ｅの室外側側面より僅かに室外側すなわち内障子Ｃ側に突出しており、内障子Ｃの戸先側の縦框２４の室内側に突出する部分に当接もしくは近接する状態となっている。そして、樹脂板３４ａは、例えば、開口部Ｆを閉塞した状態で内障子Ｅに当接若しくは近接することで、開口部装置の気密性を高めるようになっている。
【００３０】
また、樹脂板３４ａの室内側は、上述のように方立Ｅの室内側面より室内側に延出して形成されている。
そして、樹脂板３４ａは、前記取付部材３５ａの室外側面より室内側となる硬質板部３６が硬質樹脂から形成され、前記取付部材３５ａの室外側面より室外側となる軟質板部３７が軟質樹脂から形成されている。
軟質樹脂からなる軟質板部３７は、取付部材３５ａの内周側面と室外側面との角部から室内−室外方向に沿って室外側に延出した状態に形成され、基端部が硬質板部３６および取付部材３５ａに固定されて支持された状態で、先端部が開放端となっており、軟質樹脂からなることから先端部が僅かな力で容易に大きく変位可能（弾性変形可能）となっている。特に、軟質板部３７の方立Ｅ側には、樹脂板３４ａを方立Ｅに取り付ける取付部材３５ａが軟質板部３７の基端部を除いて存在せず、軟質板部３７の方立Ｅに近づく方向への変位（弾性変形）を可能とする空間が形成されている。すなわち、軟質板部３７の基端部から先端部までの間の方立Ｅ側には、軟質板部３７と方立Ｅとの距離だけ間隔が設けられており、例えば、先端部が方立Ｅに接触するまで、軟質板部３７を変位可能となっている。
【００３１】
また、軟質板部３７の前後方向に沿った長さは、取付部材３５ａの室外側の側面と方立Ｅの室外側側面との間の前後方向に沿った距離、および、樹脂板３４と方立Ｅの左側となる端面との間の距離より僅かに長いものとなっている。
そして、方立Ｅのアングル３３ａは、開口部Ｆの他の内周側に設けられたアングル３３とともに、アルミ合金部材に対して断熱性を高めるために配置されるとともに、アングル３３ａの樹脂板３４が開口部Ｆの室内側の内装材と連携して開口部Ｆの室内側の障子Ｂ，Ｃの近傍部分の装飾を行うものである。
【００３２】
そして、上記方立Ｅのアングル３３ａの樹脂板３４ａは、上述のように開口部Ｆ内周の装飾となるとともに、室外側部分が大きく変位可能となっているので、例えば、内障子Ｃの複層ガラス２６の室内側面より突出した召合い側の縦框２３と方立Ｅとの間に手の指が巻き込まれるのを防止するとともに、手の指が方立Ｅにあたった場合の衝撃を吸収するものである。
ここで、通常の使用方法として、上述のように外障子Ｂ及び内障子Ｃを外障子Ｂの引き手１７に手をかけて開閉した場合に、指を方立Ｅと内障子Ｃの召合い側縦框２３との間に挟むようなことは有り得ないが、上述のように内障子Ｃの召合い側縦框２３が複層ガラス２６の室内側面より突出していることにより、内障子Ｃの縦框２３に手の指をかけたり、縦框２３を左右から指で挟んで掴んだりすることで、内障子Ｃの開閉を行う可能性がある。
【００３３】
この場合に、上述のように召合い側の縦框２３と方立Ｅとの間に手の指が挟みこまれる可能性が発生するが、方立Ｅの手の当たる部分に上述のアングル３３ａの樹脂板３４ａの軟質樹脂からなる軟質板部３７が設けられており、この軟質板部３７が上述のように方立Ｅ側に向かって大きく弾性変形可能となっている。従って、上述のように指が挟まれそうになった場合に、内障子Ｃの召合せ側の縦框２３の方立Ｅ側にかけられた指が、方立Ｅの内周面側（端面）の軟質板部３７に当たった際に、軟質板部３７が基端部を固定された状態で先端部側が方立Ｅに近づくように大きく変位することになる。
【００３４】
これによって、指が方立Ｅにあたる衝撃が大きく緩和されるとともに、指に接触した軟質板部３７が弾性変形する際に、軟質板部３７の弾性力と指や縦框２３に対する摩擦力で内障子Ｃの開放側への移動速度を減衰させ、内障子Ｃの移動が停止する。これにより指が方立Ｅと縦框２３との間に巻き込まれるのを防止することができる。
【００３５】
また、方立Ｅ用の軟質樹脂および硬質樹脂からなるアングル３３ａは軟質樹脂と硬質樹脂とを共押し出し成型することにより一体に形成されており、少ない工程で安価に製造可能である。また、樹脂を成型する際に、軟質樹脂と、硬質樹脂とで例えば略同色になるように顔料等の配合割合を調整した軟質樹脂および硬質樹脂を使用することで、一見して軟質樹脂部分と硬質樹脂部分との違いが判らないように製造することが可能であり、軟質樹脂部分が従来の樹脂形材のリブより大きく容易に見た目で認識可能なサイズとなっていても、樹脂形材の意匠性に全く影響を与えることがない。
【００３６】
上記例では、２枚建て片引き全開口タイプのサッシに本発明を適用したが、その他のタイプのサッシにも適用可能であり、例えば、合掌式に左右に２枚ずつの障子を配置した両寄せ全開口タイプのサッシにも適用可能である。
さらに、全開口タイプ以外でも、例えば、引き違いサッシにおいて、内障子と外障子を通常の開口部を閉めた状態の配置と逆配置とするような場合に、内障子の召合い側の縦框と、外障子の戸先側の縦框との間で、上述の方立Ｅと縦框２３との間に指が挟まれるような状況が発生する可能性があるが、この際に内障子の召合せ側縦框の端面に上述の方立Ｅのアングル３３ａのような軟質板部３７を有する構造の樹脂形材を設けることで、上記例と同様の作用効果を得ることができる。
すなわち、本発明においては、室内側に樹脂形材が取り付けられた断熱サッシにおいて、障子の移動に際して、障子の縦框部材と室内−室外方向（前後方向）に重なる状態と重ならない状態とに変換可能で上下に延在した縦部材がある場合に適用可能であり、前記縦部材が上述のような方立Ｅの場合もあるし、前記障子とは別の障子の縦框である場合もある。
【００３７】
また、取っ手が有るにも係らず取っ手に手を掛けずに障子の縦框を持って障子を移動した場合に、障子が左右に移動するサッシならば、障子の縦框と枠体の縦枠との間で指を挟む可能性もあり、枠体の内周面側に取り付けられる合成樹脂性のアングルの部分に上述の軟質板部を有する構造を設けても良い。
【図面の簡単な説明】
【００３８】
【図１】本発明の実施の形態に係る２枚建て片引き全開口タイプのサッシを示す図であって、開口状態の横断面図である。
【図２】同、閉じた状態の横断面図である。
【図３】従来のサッシであって、開口状態の横断面図である。
【図４】同、閉じた状態の横断面図である。
【符号の説明】
【００３９】
Ａ      枠体
Ｃ      内障子（障子）
Ｅ      方立（縦部材）
２３    縦框
３３ａ  アングル（縦部材用樹脂形材）
３４ａ  樹脂板
３６    硬質板部
３７    軟質板部
【図１】
2007120251.tif 000003
【図２】
2007120251.tif 000004
【図３】
2007120251.tif 000005
【図４】
2007120251.tif 000006